【手続補正書】
【提出日】平成16年5月20日(2004.5.20)
【手続補正１】
【補正対象書類名】明細書
【補正対象項目名】請求項１
【補正方法】変更
【補正の内容】
【請求項１】
充電器から電気エネルギを受け取って二次電池の充電を行う充電部と、前記二次電池の端子電圧を検出する電圧検出部と、非充電時における前記二次電池の端子電圧と前記二次電池の電池容量または電池電圧との関係を表す第１のデータテーブルと充電時における前記二次電池の端子電圧と前記二次電池の電池容量または電池電圧との関係を表す第２のデータテーブルとを記憶する記憶部と、非充電時においては前記記憶部に記憶された第１のデータテーブルを用いて、前記電圧検出部により検出された端子電圧から前記二次電池の電池容量または電池電圧を推定し、充電時においては前記記憶部に記憶された第２のデータテーブルを用いて、前記電圧検出部により検出された電圧から前記二次電池の電池容量または電池電圧を推定する制御部とを具備することを特徴とする電子機器。
【手続補正２】
【補正対象書類名】明細書
【補正対象項目名】請求項１１
【補正方法】変更
【補正の内容】
【請求項１１】
充電器から電気エネルギを受け取って二次電池の充電を行う充電部と、前記二次電池の端子電圧を検出する電圧検出部と、記憶部と、表示部とを具備する電子機器の制御方法において、非充電時における前記二次電池の端子電圧と前記二次電池の電池容量または電池電圧との関係を表す第１のデータテーブルと充電時における前記二次電池の端子電圧と前記二次電池の電池容量または電池電圧との関係を表す第２のデータテーブルとを前記記憶部に予め記憶させ、非充電時においては前記記憶部に記憶された第１のデータテーブルを用いて、前記電圧検出部により検出された端子電圧から前記二次電池の電池容量または電池電圧を推定し、充電時においては前記記憶部に記憶された第２のデータテーブルを用いて、前記電圧検出部により検出された電圧から前記二次電池の電池容量または電池電圧を推定し、この推定結果を前記表示部により表示することを特徴とする電子機器の制御方法。
【手続補正３】
【補正対象書類名】明細書
【補正対象項目名】０００８
【補正方法】変更
【補正の内容】
【０００８】
【課題を解決するための手段】
かかる目的を達成するため、この発明は、充電器から電気エネルギを受け取って二次電池の充電を行う充電部と、前記二次電池の端子電圧を検出する電圧検出部と、非充電時における前記二次電池の端子電圧と前記二次電池の電池容量または電池電圧との関係を表す第１のデータテーブルと充電時における前記二次電池の端子電圧と前記二次電池の電池容量または電池電圧との関係を表す第２のデータテーブルとを記憶する記憶部と、非充電時においては前記記憶部に記憶された第１のデータテーブルを用いて、前記電圧検出部により検出された端子電圧から前記二次電池の電池容量または電池電圧を推定し、充電時においては前記記憶部に記憶された第２のデータテーブルを用いて、前記電圧検出部により検出された電圧から前記二次電池の電池容量または電池電圧を推定する制御部とを具備することを特徴とする電子機器を提供する。
かかる電子機器によれば、非充電時および充電時の各々において正確に電池容量または電池電圧を推定することができる。
好ましい態様において、この電子機器は、表示部を有し、前記制御部は、前記電池容量または電池電圧の推定結果を前記表示部に表示する。
この場合において、前記表示部は、前記電池容量または電池電圧の推定結果の表示の代わりに、またはこれにさらに追加して、前記電池容量または電池電圧の推定結果に基づいて当該電子機器の使用可能日数を求め、前記表示部に表示してもよい。
好ましい態様において、充電時における前記二次電池の充電は、充電器により周期的かつ断続的に行われるものである。前記制御部は、所定の条件が満たされたときに、前記充電の周期に対する充電時間のデューティ比の切り換えを要求するコマンドを前記充電器に送信する。
ここで、前記記憶部は、前記第２のデータテーブルとして、前記デューティ比に対応した複数のデータテーブルを記憶し、前記制御部は、前記複数のデータテーブルのうち現在行われている充電のデューティ比に対応したデータテーブルを用いて、前記二次電池の電池容量または電池電圧を推定する。
好ましい態様において、前記制御部は、前記二次電池の充電が開始されてからの経過時間が所定時間に達したときに現在よりも高いデューティ比への切り換えを要求するコマンドを送信する。
若しくは前記制御部は、前記二次電池の端子電圧または電池容量の推定値が所定値に達したときに現在よりも高いデューティ比への切り換えを要求するコマンドを送信する。
好ましい態様において、前記制御部は、前記二次電池の電池容量または電池電圧が所定値に達したときに充電の停止を要求するコマンドを送信する。
以上掲げた諸態様において次のような改良を行ってもよい。すなわち、電子機器には、前記二次電池の内部抵抗を測定する内部抵抗測定部を設ける。また、前記記憶部には、前記第１のデータテーブルおよび第２のデータテーブルとして、複数の異なった内部抵抗に対応した複数のデータテーブルを各々記憶させる。そして、前記制御部は、前記内部抵抗測定部により測定された前記二次電池の内部抵抗に対応した第１のデータテーブルまたは第２のデータテーブルを用いて、前記二次電池の電池容量を推定するのである。
ここで、前記内部抵抗測定部は、例えば前記二次電池の開放電圧と、前記二次電池に所定の負荷を接続したときの電圧とに基づいて前記内部抵抗を算出する。
また、この発明は、充電器から電気エネルギを受け取って二次電池の充電を行う充電部と、前記二次電池の端子電圧を検出する電圧検出部と、記憶部と、表示部とを具備する電子機器の制御方法において、非充電時における前記二次電池の端子電圧と前記二次電池の電池容量または電池電圧との関係を表す第１のデータテーブルと充電時における前記二次電池の端子電圧と前記二次電池の電池容量または電池電圧との関係を表す第２のデータテーブルとを前記記憶部に予め記憶させ、非充電時においては前記記憶部に記憶された第１のデータテーブルを用いて、前記電圧検出部により検出された端子電圧から前記二次電池の電池容量または電池電圧を推定し、充電時においては前記記憶部に記憶された第２のデータテーブルを用いて、前記電圧検出部により検出された電圧から前記二次電池の電池容量または電池電圧を推定し、この推定結果を前記表示部により表示することを特徴とする電子機器の制御方法を提供する。
【手続補正４】
【補正対象書類名】明細書
【補正対象項目名】００２４
【補正方法】変更
【補正の内容】
【００２４】
図５は、本実施形態におけるステーション１００の構成を示すブロック図である。図５において、発振回路１４０は、各部の動作を同期させるためのクロック信号ＣＬＫを出力する回路である。ステーション側コイル１１０は、電子時計２００側から送られてくる信号を受信するアンテナとしての役割を担っている。また、ステーション側コイル１１０は、電子時計２００内の二次電池２２０の充電を行う場合に、バースト状の交流磁界を断続的に発生する役割を担っている。このバースト状の交流磁界は、電子時計２００内において上述のフルデューティ充電パルスまたはハーフデューティ充電パルスとなるものである。
【手続補正５】
【補正対象書類名】明細書
【補正対象項目名】００７１
【補正方法】変更
【補正の内容】
【００７１】
充電・転送切換器１７０は、このコマンドｃｏｍ２を受け取ると、それまで出力していたハーフデューティ充電指示信号ＳＨＡＬＦに代えて、フルデューティ充電指令信号ＳＦＵＬＬを信号ｅとして出力する。この信号ｅは、図７に示すように５９０秒のＨレベル期間と１０秒のＬレベル期間を交互に繰り返す。この信号ｅがＨレベルである期間だけトランジスタ１５３のスイッチングが行われる。この結果、ステーション側コイル１１０により、バースト状の交流磁界が断続的に発生される。